(57)【要約】  本発明は、呼吸器疾患及び耳の疾患の治療に必要な吸入、吸引（サクション）、発光及び煙霧の機能をそれぞれ行う治療部モジュールらがお互いに交替されて連結及び分離される連結部；電源スイッチの動作により上記の治療部モジュールに電力を供給する電源部；及び上記の電源部及び治療部モジュールの機能を制御する制御部を含めて、上記の電源部及び制御部が内蔵された本体の外部にはグリップ部が形成されることを特徴とする複合治療装置を提供する。本発明によれば、上記の装置のヘッドの交替を通じて様々な耳及び呼吸器疾患の治療ができる。
2021514233.tif 000002
【特許請求の範囲】
【請求項１】
呼吸器疾患及び耳の疾患の治療に必要な吸入、吸引（サクション）、発光及び煙霧の機能をそれぞれ行う治療部モジュールらがお互いに交替され連結及び分離される連結部；電源スイッチの動作により上記の治療部モジュールに電力を供給する電源部；及び上記の電源モジュール及び治療部モジュールらの機能を制御する制御部を含めて、上記の電源部及び制御部が内蔵された本体の外部にはグリップ部が形成されることを特徴とする複合治療装置。
【請求項２】
上記の連結部は、上記の電源部及び制御部が内蔵された第１ＰＣＢと上記の治療部モジュールらの機能を表示する表示部が内蔵された第２ＰＣＢらを電気的に連結するコネクターを含むことを特徴とする、請求項１に記載の複合治療装置。
【請求項３】
上記の連結部は、締結されたコネクターが抜けないように支持する締結リングまたは締結フックをさらに含め、上記の締結リングは螺旋を通じた回転結合を用いることを特徴とする、請求項２に記載の複合治療装置。
【請求項４】
上記の制御部は、上記のコネクターを通じて連結された治療部モジュールに付与されたＩＤを認識する認識モジュール；及び認識された治療部モジュールに合う動作モードを選択するモード選択モジュールを含むことを特徴とする、請求項１に記載の複合治療装置。
【請求項５】
上記の制御部は、上記に選択された動作モードにより該当の治療部モジュールに含まれた表示部を制御することを特徴とする、請求項４に記載の複合治療装置。
【請求項６】
上記の複合治療装置は、上記の治療部モジュールとして上記の連結部を通じて連結されるレーザーまたはＬＥＤ光を用いる発光治療装置、超音波またはモーターを用いて煙霧するネブライザー、コンプレッサーを用いる吸入器、吸引器及び美容器具の中で少なくとも一つを含むことを特徴とする、請求項１に記載の複合治療装置。
【請求項７】
上記の制御部は、該当の治療部モジュールを用いた治療履歴に関するデータをユーザーの端末に伝送する通信モジュールをさらに含むことを特徴とする、請求項４に記載の複合治療装置。
【発明の詳細な説明】
【技術分野】
【０００１】
本発明は交替型ヘッドを有する複合治療装置に関するもので、より詳しくは該当機能を有する治療部モジュールに該当する本体を交替して、様々な種類の疾患治療に用いることができる複合治療装置に関するものである。
【背景技術】
【０００２】
呼吸器疾患、例えば、喘息の治療に用いられる医療機器であるネブライザー（ｎｅｂｕｌｉｚｅｒ）、定量噴霧器（ｍｅｔｅｒｅｄ  ｄｏｓｅ  ｉｎｈａｌｅｒ、ＭＤＩ）、スペーサー及びドライパウダー吸入器（ｄｒｙ  ｐｏｗｄｅｒ  ｉｎｈａｌｅｒ、ＤＰＩ）がある。または、呼吸器疾患と関連して痰などを除去するために用いられる吸引器がある。
【０００３】
呼吸器疾患の治療装置の中では気道ではなく、鼻腔または耳の中の炎症などを治療するために用いられる発光治療装置がある。光線療法で光源に用いられる半導体素子として発光ダイオード（Ｌｉｇｈｔ  Ｅｍｉｔｔｉｎｇ  Ｄｉｏｄｅ、ＬＥＤ）とレーザーダイオード（Ｌａｓｅｒ  Ｄｉｏｄｅ、ＬＤ）がある。ＬＥＤとＬＤは半導体素子として類似な点が多い。ＬＥＤは光の自然放出を用いるのであれば、ＬＤは光の誘導放出を用いるという点でお互いに異なる。
【０００４】
特に、レーザー（Ｌｉｇｈｔ  Ａｍｐｌｉｆｉｃａｔｉｏｎ  ｂｙ  Ｓｔｉｍｕｌａｔｅｄ  Ｅｍｉｓｓｉｏｎ  ｏｆ  Ｒａｄｉａｔｉｏｎ、ＬＡＳＥＲ）は輻射線の誘導放出による光線の増幅を行うことで、単色性、集光性、高密度などの特徴を有する。
【０００５】
人体の組織に赤色−近赤外線領域の光線を照射すれば、生体組織の創傷、炎症、浮腫などが治癒され、末梢神経痛が軽減される効果が臨床実験により証明される場合がある。このような臨床実験で低出力レーザー治療（Ｌｏｗ  Ｌｅｖｅｌ  Ｔｈｅｒａｐｙ、ＬＬＬＴ）方法が用いられる。
【０００６】
このような従来の技術によれば、煙霧機、別名でネブライザー、吸引器、吸入器及び発光治療装置が独立した装置として構成されていて、類似な機能を発揮する装置らの間の重複設備により経済性が悪くなるという欠点があった。また、医者の診療に基づいて家庭での治療が可能な場合でも、わざわざ病院に行かなければならないという不便が存在した。
【０００７】
本発明の一実施例による複合治療装置は、治療部モジュールに該当するヘッドを交替することができ、呼吸器疾患及び鼻の疾患の治療に必要な煙霧、吸入、吸引（サクション）及び発光機能を複合的に行うことができることが特徴である。このような点で本発明の一実施例による複合治療装置は、上記に説明した従来技術と区別されて、上記の従来技術が有する問題点を解決するために開示される。
【発明の概要】
【発明が解決しようとする課題】
【０００８】
本発明が解決しようとする課題は、ヘッド交替を通じて、様々な耳及び呼吸器疾患の治療ができる複合治療装置を提供するものである。
【０００９】
本発明が追加的に解決しようとする課題は、治療方法によるヘッドの交替により自動的にヘッドを認識して、動作モードを選択する複合治療装置を提供することである。
【００１０】
本発明が追加的に解決しようとする課題は、本体で交替されるヘッドを認識して、これの動作を制御して、動作の状態をＬＣＤを通じて表示する複合治療装置を提供することである。
【課題を解決するための手段】
【００１１】
本発明の一実施例による複合治療装置は、呼吸器疾患及び耳の疾患の治療に必要な吸入、吸引（サクション）、発光及び煙霧の機能をそれぞれ行う治療部モジュールらがお互いに交替されて連結及び分離される連結部；電源スイッチの動作により上記の治療部モジュールに電力を供給する電源部；及び上記の電源部及び治療部モジュールの機能を制御する制御部を含めて、上記の電源部及び制御部が内蔵された本体の外部にはグリップ部が形成されることを特徴とする。
【００１２】
ここで、上記の連結部は、上記の電源部及び制御部が内蔵された第１ＰＣＢと上記の治療部モジュールらの機能を表示する表示部が内蔵された第２ＰＣＢらを電気的に連結させるコネクターを含むことを特徴とする。
【００１３】
ここで、上記の連結部は、締結されたコネクターが抜けないように支持する締結リングまたは締結フックをさらに含め、上記の締結リングは螺旋を通じた回転結合を用いることを特徴とする。
【００１４】
ここで、上記の制御部は、上記のコネクターを通じて連結された治療部モジュールに付与されたＩＤを認識する認識モジュール；及び認識された治療部モジュールに合う動作モードを選択するモード選択モジュールを含むことを特徴とする。
【００１５】
ここで、上記の制御部は、上記に選択された動作モードにより該当治療部モジュールに含まれた表示部を制御することを特徴とする。
【００１６】
ここで、上記の複合治療装置は、上記の治療部モジュールとして、上記の連結部を通じて連結されるレーザーまたはＬＥＤ光を用いる発光治療装置、超音波またはモーターを用いて煙霧するネブライザー、コンプレッサー（圧縮機）を用いた吸入器及び吸引器（サクション器）の中で少なくとも一つを含むことを特徴とする。
【００１７】
ここで、上記の制御部は、該当の治療部モジュールを用いて治療の履歴に関するデータをユーザーの端末に伝送する通信モジュールをさらに含むことを特徴とする。
【発明の効果】
【００１８】
本発明によれば、ヘッドの交替を通じて様々な耳及び呼吸器疾患の治療ができる。
【００１９】
また、治療方法によるヘッドの交替により自動にヘッドを認識して動作モードを選択することができる。
【００２０】
また、本体で交替されるヘッドを認識して、この動作を制御し、動作の状態をＬＣＤを通じて表示することができる。
【図面の簡単な説明】
【００２１】
【図１】図１は本発明の一実施例による複合治療装置の例示図である。
【図２】図２は本発明の一実施例による発光治療装置の例示図である。
【図３】図３は本発明の一実施例による複合治療装置の内部の例示図である。
【図４】図４は本発明の一実施例による発光治療装置の例示図である。
【図５】図５は本発明の一実施例による吸引器または吸入器の例示図である。
【図６】図６は本発明の一実施例による吸引器または吸入器の例示図である。
【図７】図７は本発明の一実施例によるネブライザーの例示図である。
【図８】図８は本発明の一実施例による複合治療装置の外部の例示図である。
【図９】図９は本発明の一実施例による複合治療装置のブロック図である。
【図１０】図１０は本発明の一実施例による複合治療装置の締結リングを説明するための例示図である。
【図１１】図１１は本発明の一実施例による複合治療装置の締結フックを説明するための例示図である。
【発明を実施するための最良の形態】
【００２２】
以下、添付された図面を参考にして、複合治療装置に関する望ましい実施例を詳しく説明することにする。
【００２３】
それぞれの図面に提示された同一な参考符号は同一な部材を示す。また、本発明の一実施例らに対して特定な構造的ないし機能的な説明は、単に本発明による実施例を説明するための目的に例示されたもので、他に定義されていない限り、技術的または科学的な用語を含めてここで用いられるすべての用語は、本発明が属する技術分野で通常の知識を有する者により一般的に理解されるものと同じ意味を有している。一般的に用いられる辞書に定義されているものと同じ用語は関連技術の文脈上有する意味と一致する意味を有するものと解釈されるべきであり、本明細書で明らかに定義していない限り、理想的だったり過度に形式的な意味に解釈されないことが望ましい。
【００２４】
図１は本発明の一実施例による複合治療装置の例示図である。
【００２５】
図１を参考にすれば、本発明の一実施例による複合治療装置１００が図示されている。
【００２６】
複合治療装置１００の全体の形状は柱の形状であり、その断面が三角形に近い曲線型の図形になっているが、これに限定されるものではない。したがって、複合治療装置の断面は円形、楕円形、及び多角形など直線及び曲線の様々な形状をすることができる。
【００２７】
複合治療装置１００の外形は手で掴みやすい形状で、本体１１０の外部にグリップ部１１１が形成されている。複合治療装置１００の一端には連結部１１２が実装されていて、連結部１１２を通じて治療部モジュールら（２１０ないし２４０）が連結及び分離されることができる。ここで、治療部モジュールら（２１０ないし２４０）は呼吸器疾患及び疾患治療に必要な吸入、吸引（サクション）、発光及び煙霧の機能をそれぞれ実行して、複合治療装置１００に対してはヘッド（ｈｅａｄ）、またはプローブ（ｐｒｏｂｅ）に該当する。以下、治療部モジュールら（２１０ないし２４０）について簡単に説明する。
【００２８】
複合治療装置１００は、治療部モジュールとして連結部を通じて連結されるレーザーまたはＬＥＤ光を用いる発光治療装置、超音波またはモーターを用いて煙霧するネブライザー、コンプレッサーを用いて吸入器、吸引器、及び美容器具の中で少なくとも一つを含むことを特徴とする。ここで、美容器具の例として、ガルバニックホームケアマッサージ機、ＬＥＤ皮膚管理機、振動マッサージ機及びプラズマ皮膚管理機などが含まれることができる。
【００２９】
図２は本発明の一実施例による発光治療装置の例示図である。
【００３０】
図２は参考すれば、発光治療装置２１０と複合治療装置１００が連結部１１２を通じて、結合された結合体を図示する。
【００３１】
ケーブル２１２はプローブ２１１と本体１００と連結された２１５を連結する役割をする。ケーブルを通じて各種の電気信号、例えば、電流及び制御信号が伝送される。ケーブル２１２の一端はプローブ１１０に連結されて他端はボディー２１５に連結される。一端でケーブル２１２はプローブ１１０を一体に連結されたり、プラグ及びソケットの構成を通じて締結及び分離されるように連結されることができる。他端でケーブル１３０はプラグ及びソケットの構成を通じて本体１００と締結及び分離ができるように連結されることができる。
【００３２】
ストラップ２１３はボディー２１５または本体１００と連結されるネックレス用のストラップに該当する。以下、図２を例示にして、複合治療装置の内部に関して説明することにする。
【００３３】
図３は本発明の一実施例による複合治療装置の内部の例示図である。
【００３４】
図３を参考にすれば、複合治療装置１００のボディー１１０の内部について、後面、左側面及び正面が図示されている。治療部モジュール２１０のボディー２１５は第２ＰＣＢ２１６、ソケット２１７及びコネクター２１８を含めて、本体１１０は第１ＰＣＢ１２１、バッテリー１２２及びコネクター１２３を含む。
【００３５】
治療部モジュール２１０のボディー２１５は光源部２５１を駆動するドライバーに関する第２ＰＣＢ２１６を含めて、本体１１０は制御部１３１及び電源部１３５に関する第１ＰＣＢ１２１を含むことを特徴とする。
【００３６】
複合治療装置１００の本体１１０と治療部モジュール２１０のボディー２１５は連結部１１２のコネクター２１８を通じて連結することができる。すなわち、連結部１１２は、電源部及び制御部が内蔵された第１ＰＣＢ１２１と治療部モジュールらの機能を表示する表示部が内蔵された第２ＰＣＢ２１６らを電気的に連結するコネクター２１８を含むことを特徴とする。
【００３７】
複合治療装置１００は締結されたコネクターが抜けないように支持する締結リングをさらに含め、上記の締結リングは螺旋を通じて回転結合を用いることを特徴とする。または、コネクター２１８を通じて締結された本体１１０とボディー２１５を締結フック２１９を用いて堅く固定されることもできる。これらについては、図１０及び図１１で説明することにする。
【００３８】
図４は本発明の一実施例による発光治療装置の例示図である。
【００３９】
プローブ２１１は一つのペアとして、各ピースはお互いに分離されて構成される。そして、プローブ２１１の各ピースはホルダー２１４に挿入されることができる。ホルダー２１４は弾性のある材質で、例えば、シリコン材料で製造されることができる。ホルダー２１４の形状は図４に限定されなく、プローブ２１１の各ピースの間隔を一定に維持したり弾力的に調整することができる様々な形状を含むことができる。
【００４０】
図５及び図６は本発明の一実施例による吸引器及び吸入器の例示図である。
【００４１】
図５及び図６を参考にすれば、吸引器及び吸入器はその機能の実行方向が反対になる点に特徴がある。したがって、吸引器及び吸入器は同一な形状で具現できることが特徴である。
【００４２】
図５はグリップ部について、斜線の形態でノズルが形成されたガンタイプの形状であり、図６はグリップ部について、直線方向にノズルが形成されるペンタイプの形状である。図５でグリップ部と成すノズルの方向は９０度から１８０度の範囲内で変動が可能である。
【００４３】
吸引器は鼻の中または気管支内にある異物、例えば痰などを除去する装置として圧縮空気を用いて吸入機能を行う。したがって、吸引器はその内部の構成要素としてコンプレッサーを含む。コンプレッサーはボディー２２２の内に構成されることができる。ノズルのパーツ２２１とボディー２２２が結合されて、再びボディー２２２は連結部１２２を通じて本体１００と結合する。吸引器のボディー２２２には表示部により動作状態及び各種情報が表示されるＬＣＤ画面が備えることができる。吸引器はその内部に吸入された異物を保管する空間をプラスチック容器のような形態で含む。
【００４４】
吸入器は液体状態の薬物または粉状態の薬を吸入するのに用いられる器具である。従来の技術のように圧縮ガスを用いたりコンプレッサーを通じて圧縮空気を用いることができる。吸入器はその内部に薬物またはカプセルを保管する空間が備えている。
【００４５】
図７は本発明の一実施例によるネブライザーの例示図である。
【００４６】
図７を参考にすれば、ボディー２４０の左側に吸入口がある。ボディー２４０はその内部に超音波モジュールまたはモーターを含む。煙霧は超音波モジュールまたはモーターの動作により水蒸気に変わり吸入口を通じて排出される。薬物が水蒸気に変わる過程で温度を加熱することによって、温かい水蒸気が発生することもできる。
【００４７】
図８は本発明の一実施例による複合治療装置の外部の例示図である。
【００４８】
図８を参考にすれば、図２に図示された発光治療装置２１０を例に挙げると、複合治療装置１００の本体１１０には電源スイッチが備えられる。
【００４９】
図９は本発明の一実施例による複合治療装置のブロック図である。
【００５０】
図９を参考にすれば、本体１１０はその内部に制御部１３１及び電源部１３５を含む。
【００５１】
制御部１３１は電源部１３５及び治療部モジュールらの機能を制御する。電源部１３５は電源スイッチ１１３の動作によって治療部モジュールら（２１０ないし２４０）に電力を供給する。
【００５２】
制御部１３１は、認識モジュール１３２、モード選択モジュール１３３及び通信モジュール１３４を含む。
【００５３】
認識モジュール１３２はコネクター２１８を通じて連結された治療部モジュールに付与されたＩＤを認識する役割をする。多数の治療部モジュールら（２１０ないし２４０）はそれぞれの固有のＩＤを有する。複合治療装置１００と治療部モジュールが連結されて、電源が供給されると治療部モジュールは自分の固有ＩＤ情報を複合治療装置１００に伝送して、複合治療装置１００は受信した固有ＩＤ情報を通じてどのような機能の治療部モジュールが連結されたのかを確認する。
【００５４】
モード選択モジュール１３３は認識された治療部モジュールに合う動作モードを選択する役割をする。連結された治療部モジュールが確認されると、モード選択モジュール１３３は連結された治療部モジュールに該当する機能を実行するようにモードを選択する。すなわち、吸引（サクション）の機能の吸引器２２０が連結される場合、モード選択モジュール１３３は吸引器のモードを選択して吸引器を制御する準備をする。
【００５５】
図９を参考にすれば、発光治療装置２１０、吸引器または吸入器２２０及びネブライザー２４０のブロック図が図示されている。この中で吸引器２２０及びネブライザー２４０は表示部２２３、２４３を含む。
【００５６】
制御部１３１は、選択された動作モードにより該当の治療部モジュールに含まれた表示部を制御することを特徴とする。電源及び性能に関する制御は複合治療装置１００の制御部１３１が実行する。さらに制御部１３１は治療部モジュールに含まれた表示部を制御することにより、治療部モジュールのボディーの外部に備えられたＬＣＤ画面を通じて動作状態、例えば、圧力値、水蒸気の量と温度を表示することができる。
【００５７】
光源部２５１はその種類として、人工光を発する半導体素子、例えばレーザーダイオード及びＬＥＤを含む。ＬＥＤ及びレーザーの種類、例えば、連続波（Ｃｏｎｔｉｎｕｏｕｓ  Ｗａｖｅ）の方式、パルス（Ｐｕｌｓｅ）の方式、治療部位及び症状により様々な範囲の波長の領域でレーザーダイオード及びＬＥＤが選択されることができる。
【００５８】
ドライバーモジュール２５２はレーザーダイオードまたはＬＥＤを駆動するための回路、発振器及びレギュレーターを含む。
【００５９】
また、制御部は、該当の治療部モジュールを用いた治療履歴に関するデータをユーザーの端末に伝送する通信モジュールを含むことを特徴とする。すなわち、ユーザーの端末との近距離通信を通じて通信モジュール１３４は治療部モジュールの種類により該当の治療部モジュールを用いて治療した履歴に関するデータをユーザーの端末に伝送して、このデータを受信したユーザーの端末は保存装置に治療履歴データを保存することができる。
【００６０】
ユーザーの端末の様々な実施例らは、セルラー電話機、無線通信機能を有するスマートフォン、無線通信機能を有する個人携帯用の端末機ＰＤＡ、無線モデム、無線通信機能を有する携帯用のコンピューター、無線通信機能を有するデジタルカメラのような撮影装置、無線通信機能を有するゲーミング（ｇａｍｉｎｇ）装置、無線通信機能を有する音楽保存及び再生家電製品、無線インターネット接続及びブラウジングができるインターネット家電製品のみならず、それらの機能の組み合わせを統合している携帯型のユニットまたは端末を含むことができるが、これに限定されるものではない。
【００６１】
図１０は本発明の一実施例による複合治療装置の締結リングを説明するための例示図である。
【００６２】
図１１は本発明の一実施例による複合治療装置の締結フックを説明するための例示図である。
【００６３】
図１０及び図１１を参考にすると、連結部１１２は、締結されたコネクターが抜けないように支持するための締結リング１１４または締結フック２１９をさらに含め、上記の締結リングは螺旋を通じた回転結合を用いることを特徴とする。
【００６４】
図１０を参考にすると、ボディー２１５と本体１１０はコネクター２１８を通じて締結された状態で、本体１２２に突起（図示しない）を通じて分離されない締結リング１１４を回転しながら本体１１０をボディー２１５に堅く固定させる。
【００６５】
図１１を参考にすれば、本体１１０とボディー２１５はコネクター２１８を通じて締結されて、締結とともに締結フック２１９が結合されながら、本体１１０とボディー２１５を堅く固定する。
【００６６】
このように本発明の一実施例によれば、ヘッドの交替を通じて様々な耳及び呼吸器疾患の治療ができる。
【００６７】
また、治療方法によるヘッドの交替により自動にヘッドを認識して動作モードを選択することができる。
【００６８】
また、本体で交替されるヘッドを認識して、これの動作を制御して、動作の状態をＬＣＤを通じて表示することができる。
【００６９】
前述した本発明の説明は例示のためのものであり、本発明が属する技術分野の通常の知識を有する者は本発明の技術的な思想や必須的な特徴を変形しなく、他の具体的な形態に簡単に変形が可能であることを理解することができる。したがって、以上で記述した実施例はすべての面で例示的なものであって、限定的ではないものと理解するべきだ。例えば、単一形で説明されているそれぞれの構成要素は分散されて実施されることもでき、同様に分散されたものとして説明されている構成要素らも結合された形態で実施されることができる。
【００７０】
本発明の範囲は上記の詳細な説明よりは、後述する特許請求の範囲により示されて、特許請求の範囲の意味及び範囲、そしてその均等の概念から導出されるすべての変形または変形された形態が本発明の範囲に含まれるものと解釈されるべきだ。
【図１】
2021514233.tif 000003
【図２】
2021514233.tif 000004
【図３】
2021514233.tif 000005
【図４】
2021514233.tif 000006
【図５】
2021514233.tif 000007
【図６】
2021514233.tif 000008
【図７】
2021514233.tif 000009
【図８】
2021514233.tif 000010
【図９】
2021514233.tif 000011
【図１０】
2021514233.tif 000012
【図１１】
2021514233.tif 000013
【手続補正書】
【提出日】令和2年8月13日(2020.8.13)
【手続補正１】
【補正対象書類名】特許請求の範囲
【補正対象項目名】請求項１
【補正方法】変更
【補正の内容】
【請求項１】
呼吸器疾患及び耳の疾患の治療に必要な吸入、吸引（サクション）、発光及び煙霧の機能をそれぞれ行う治療部モジュールらがお互いに交替され連結及び分離される連結部；電源スイッチの動作により上記の治療部モジュールに電力を供給する電源部；及び上記の電源部及び治療部モジュールらの機能を制御する制御部を含めて、上記の電源部及び制御部が内蔵された本体の外部にはグリップ部が形成されることを特徴とする複合治療装置。
【手続補正２】
【補正対象書類名】特許請求の範囲
【補正対象項目名】請求項４
【補正方法】変更
【補正の内容】
【請求項４】
上記の制御部は、上記のコネクターを通じて連結された治療部モジュールに付与されたＩＤを認識する認識モジュール；及び認識された治療部モジュールに合う動作モードを選択するモード選択モジュールを含むことを特徴とする、請求項２に記載の複合治療装置。
【国際調査報告】
2021514233.tif 000014
2021514233.tif 000015
2021514233.tif 000016
2021514233.tif 000017